(57)【要約】【課題】プレフィルタの清掃を容易にした空気清浄機を提供する。【解決手段】空気清浄機本体３と、空気清浄機本体３に開閉可能に取り付けられるとともに空気を吸い込む吸気口２ｓが形成されたフロントパネル２と、フロントパネル２に設けられて吸気口２ｓから吸い込まれた塵埃をろ過するプレフィルタ１６ａと、空気清浄機本体３に設けられてプレフィルタ１６ａを通過した塵埃をろ過する集塵フィルタ１６ｂと、を備える。プレフィルタ１６ａは、フロントパネル２の裏面２ｔから離間して配置されている。【選択図】図１０
2020099858.tif 000002
【特許請求の範囲】
【請求項１】
空気清浄機本体と、
前記空気清浄機本体に開閉可能に取り付けられるとともに空気を吸い込む吸気口が形成されたパネルと、
前記パネルに設けられ、前記吸気口から吸い込まれた塵埃をろ過するプレフィルタと、
前記空気清浄機本体に設けられ、前記プレフィルタを通過した塵埃をろ過する集塵フィルタと、を備えることを特徴とする空気清浄機。
【請求項２】
前記プレフィルタは、枠体と、前記枠体に設けられるろ過部と、前記枠体を前記パネルの掛止部に掛ける被掛止部と、を備え、
前記被掛止部は、前記枠体から前記パネルに向けて突出して形成されていることを特徴とする請求項１に記載の空気清浄機。
【請求項３】
前記掛止部は、当該掛止部を前記パネルに固定する固定部と、前記被掛止部を掛ける上向きの爪部と、を備えることを特徴とする請求項２に記載の空気清浄機。
【請求項４】
前記爪部は、前記パネルから離間する方向に傾斜して形成されていることを特徴とする請求項３に記載の空気清浄機。
【請求項５】
前記固定部は、前記パネルの裏面に形成されたリブに固定されていることを特徴とする請求項３または請求項４に記載の空気清浄機。
【請求項６】
前記被掛止部は、前記枠体の上端および下端に形成されていることを特徴とする請求項３から請求項５のいずれか１項に記載の空気清浄機。
【請求項７】
前記パネルは、下側に位置する前記被掛止部を支持する支持部を備えることを特徴とする請求項６に記載の空気清浄機。
【請求項８】
前記掛止部は、上下対称の形状であることを特徴とする請求項６または請求項７に記載の空気清浄機。
【請求項９】
前記被掛止部と前記掛止部は、前記パネルの幅方向に複数形成されていることを特徴とする請求項３から請求項８のいずれか１項に記載の空気清浄機。
【請求項１０】
前記パネルは、前記枠体と対向する位置に、当該枠体を押圧する押圧突起を備えることを特徴とする請求項２から請求項９のいずれか１項に記載の空気清浄機。
【請求項１１】
前記パネルは、前記空気清浄機本体の前側に設けられていることを特徴とする請求項１から請求項１０のいずれか１項に記載の空気清浄機。
【請求項１２】
前記パネルは、前記プレフィルタよりも下部に前記空気清浄機本体に対して回動自在に支持される軸を有し、当該パネルの上部が前記軸を支点として開くように構成されていることを特徴とする請求項１から請求項１１のいずれか１項に記載の空気清浄機。
【発明の詳細な説明】
【技術分野】
【０００１】
本発明は、空気清浄機に関する。
【背景技術】
【０００２】
従来、空気清浄機は、空気を取り入れる吸気口を有し、吸気口から取り入れた空気を内部フィルタでろ過することで清浄された空気を機体外へと排出する仕組みとなっている。このような空気清浄機は、内部フィルタとして、比較的大きな塵埃を集めるプレフィルタを備えている。空気清浄機の使用を続けるにつれ、プレフィルタには空気中に含まれる塵埃が堆積するため、プレフィルタに溜まった塵埃の掃除を定期的に行う必要がある。
【０００３】
そこで、プレフィルタを掃除する際に空気清浄機内部のフィルタに容易にアクセスできる機構として、空気清浄機の壁の一部をドアのように開閉可能な構造とした例がある（特許文献１参照）。
【先行技術文献】
【特許文献】
【０００４】
【特許文献１】中国実用新案第２０４４０４３８１号明細書
【発明の概要】
【発明が解決しようとする課題】
【０００５】
しかしながら、特許文献１の空気清浄機では、プレフィルタや集塵フィルタを含むフィルタ全体が重ねられた状態でパネルに取り付けられている。このため、プレフィルタを掃除するためにプレフィルタを取り出す際、プレフィルタに付着した塵埃が他のフィルタやパネルに接触して塵埃が落下するおそれがある。
【０００６】
本発明は、前記した従来の課題を解決するものであり、プレフィルタの清掃を容易にした空気清浄機を提供することを目的とする。
【課題を解決するための手段】
【０００７】
本発明は、空気清浄機本体と、前記空気清浄機本体に開閉可能に取り付けられるとともに空気を吸い込む吸気口が形成されたパネルと、前記パネルに設けられ、前記吸気口から吸い込まれた塵埃をろ過するプレフィルタと、前記空気清浄機本体に設けられ、前記プレフィルタを通過した塵埃をろ過する集塵フィルタと、を備えることを特徴とする。
【発明の効果】
【０００８】
本発明によれば、プレフィルタの清掃を容易にした空気清浄機を提供できる。
【図面の簡単な説明】
【０００９】
【図１】本実施形態に係る空気清浄機の外観斜視図である。
【図２】本実施形態に係る空気清浄機の分解斜視図である。
【図３】本実施形態に係る空気清浄機のフロントパネルを開いた状態を示す斜視図である。
【図４】プレフィルタが装着されたフロントパネルの裏面側を示す斜視図である。
【図５】プレフィルタの上面図である。
【図６】プレフィルタの下面図である。
【図７】プレフィルタを外したフロントパネルの裏面側を示す斜視図である。
【図８】フロントパネルを閉じた状態の軸部の部分拡大図である。
【図９】フロントパネルを開いた状態の軸部の部分拡大図である。
【図１０】フロントパネルを開いた状態の空気清浄機を示す縦断面図である。
【図１１】フロントパネルを閉じた状態の空気清浄機を示す縦断面図である。
【発明を実施するための形態】
【００１０】
以下、本発明の実施形態について図面を参照して説明する。上下左右前後等の方向については図面に記載の表記を元に説明する。なお、部材のサイズおよび形状は、説明の便宜上、変形または誇張して模式的に表す場合がある。
図１は、本実施形態に係る空気清浄機の外観斜視図である。
図１に示すように、本実施形態に係る空気清浄機１は、前面を覆うフロントパネル２と、フロントパネル２が取り付けられる空気清浄機本体３と、を備えて構成されている。
【００１１】
フロントパネル２は、空気清浄機本体３の前面を覆う矩形状の前面部２ａと、この前面部の左右両端において後方に向けて延びる側面部２ｂ，２ｂと、を有する。前面部２ａと側面部２ｂとの境界部分は湾曲して形成されている。また、フロントパネル２は、上端縁部が内側に曲げ形成されたつば部２ｃが形成されている。
【００１２】
また、フロントパネル２の前面部２ａには、外部の空気を吸い込む吸気口２ｓが形成されている。この吸気口２ｓは、前面部２ａの上部を除く略全体に形成されている。また、吸気口２ｓは、前面部２ａが格子状に区画され、小さな角孔が上下方向と水平方向に密に配置されたものである。なお、吸気口２ｓの形状は、空気を吸い込むことができる形状であれば前記した実施形態に限定されるものではなく、ウェーブ状、ジグザグ状、スリット状などの形状を適宜選択して適用できる。
【００１３】
空気清浄機本体３は、上部に設けられる前側フラップ４と、この前側フラップ４の後方に設けられる後側フラップ５と、を備えている。前側フラップ４と後側フラップ５は、それぞれ固定軸を中心に回動することで開閉角度を調整し、清浄後の空気を排出する角度を調整する。
【００１４】
また、空気清浄機本体３は、左右の側面を覆うサイドケース３ａ，３ａと、後面を覆うリアケース３ｂと、上面に位置するフラップフレーム３ｃと、を有する。フラップフレーム３ｃには、操作パネル３ｄが設けられている。
【００１５】
また、フロントパネル２を空気清浄機本体３に装着したときに、サイドケース３ａの表面と側面部２ｂの表面とが面一（フラットな面）となり、またフラップフレーム３ｃの表面とつば部２ｃの表面とが面一（フラットな面）となっている。
【００１６】
図２は、本発明の実施形態に係る空気清浄機の分解斜視図である。なお、図２では吸気口２ｓの図示を省略している。
図２に示すように、空気清浄機本体３は、フロントパネル２側（前側）からリアケース３ｂ側（後側）に向かって、プレフィルタ１６ａ、集塵フィルタ１６ｂ、脱臭フィルタ１６ｃ、送風機構９がこの順番で配置されている。プレフィルタ１６ａは、フロントパネル２に取り付けられる。集塵フィルタ１６ｂおよび脱臭フィルタ１６ｃは、空気掃除機本体３に取り付けられる。送風機構９は、スクロール１１と、スクロール１１内に配置される遠心ファン１０と、この遠心ファン１０を回転させるモータ１２とを備えて構成されている。スクロール１１の上部開口には、送風グリル１３が設けられている。なお、プレフィルタ１６ａと集塵フィルタ１６ｂと脱臭フィルタ１６ｃとで、浄化フィルタ類１６が構成されている。
【００１７】
空気清浄機本体３は、送風機構９の遠心ファン１０が回転することによって、フロントパネル２の前面側に設けた吸気口２ｓ（図１参照）から空気清浄機本体３の外部の空気が流入する。そして、この空気流はプレフィルタ１６ａ、集塵フィルタ１６ｂ、脱臭フィルタ１６ｃを流通する。その後、浄化フィルタ類１６によりろ過された空気は遠心ファン１０が収納されるスクロール１１の上部開口から前側フラップ４および後側フラップ５を介して機外に送り出される。
【００１８】
プレフィルタ１６ａは、綿ゴミ等の比較的大きなゴミを捕集（ろ過）するものである。集塵フィルタ１６ｂは、チリ、ホコリ、花粉等の比較的小さな微粒子を捕集（ろ過）するものである。脱臭フィルタ１６ｃは、臭いの元となる化学物質を吸着するものである。なお、本実施形態では、プレフィルタ１６ａと集塵フィルタ１６ｂと脱臭フィルタ１６ｃとを備えたものを例に挙げてするが、プレフィルタ１６ａと集塵フィルタ１６ｂとを備えたものであってもよい。
【００１９】
また、集塵フィルタ１６ｂと脱臭フィルタ１６ｃは、フロントケース６に収容される。フロントケース６には、集塵フィルタ１６ｂと脱臭フィルタ１６ｃとを重ねた状態で収容する収容枠６ｓ（図１０）を備えている。また、プレフィルタ１６ａは、集塵フィルタ１６ｂと同様の面積を有し、集塵フィルタ１６ｂと同様に収容枠６ｓに嵌り込む大きさである。
【００２０】
また、フロントケース６の後方には、中間ケース８が設けられている。中間ケース８に形成された円形の開口にはグリル７が設けられている。なお、円形の開口は、遠心ファン１０と対向する位置に形成されている。
【００２１】
このように構成された空気清浄機本体３は、ベースプレート１４に、サイドケース３ａ，３ａ、リアケース３ｂ、フロントケース６、中間ケース８が組み付けられる。そして、空気清浄機本体３は、各ケース３ａ，３ｂ，６，８の上部にフラップフレーム３ｃ、前側フラップ４、後側フラップ５が組み付けられる。
【００２２】
図３は、本実施形態に係る空気清浄機のフロントパネルを開いた状態を示す斜視図である。
図３に示すように、フロントパネル２は、下部に位置する固定軸部を中心として空気清浄機本体３に対して回動可能である。つまり、フロントパネル２は空気清浄機本体３に対して開閉可能な機構を有している。フロントパネル２をドアのように回動可能、開閉可能にすることで、フロントパネル２に設けられたプレフィルタ１６ａ（図２参照）を露出させることができる。
【００２３】
また、フロントパネル２は、空気清浄機本体３に対してある一定の角度まで開いた状態で係止される。また、フロントパネル２は、空気清浄機本体３と繋ぐパネルアーム１５を備える。パネルアーム１５は、フロントパネル２の左右両側に設けられている。フロントパネル２が空気清浄機本体３に対して開くことができる角度は、プレフィルタ１６ａを取り出すことができる角度であればよく、例えば２０度である。もちろん前記角度に限るものではなく、２０度未満、２０度ないし９０度の範囲内において適宜設定できる。
【００２４】
空気清浄機本体３のフロントケース６には、パネルアーム１５が進退自在となる開口６ａ，６ａが形成されている。開口６ａは、集塵フィルタ１６ｂの上部の左右両側に形成されている。
【００２５】
また、フロントケース６は、集塵フィルタ１６ｂよりも前方に張り出した張出部６ｂが形成されている。この張出部６ｂは、開口６ａよりも上側に位置し、所定の幅で左右方向の一端から他端まで延びている。また、張出部６ｂの前面右側（左右方向の一方）には、空気の浄化度を色で判別できるようにした色表示部６ｃが設けられている。フロントパネル２には、色表示部６ｃと対向する位置に窓部２ｄが形成されている。
【００２６】
フロントパネル２は、パネルアーム１５，１５によって空気清浄機本体３と連結されている。パネルアーム１５は、空気清浄機本体３に対して進退自在となるように構成されている。また、パネルアーム１５は、フロントパネル２と着脱自在に連結されている。また、パネルアーム１５には、フロントパネル２を開いたときに、フロントパネル２の開き角度が所定角度で規制されるストッパ（不図示）が設けられている。
【００２７】
パネルアーム１５とフロントパネル２との連結は、凹凸嵌合による着脱であってもよく、マグネットによる着脱であってもよい。この場合の連結力は、通常使用時において、フロントパネル２はパネルアーム１５と接続され、必要に応じてその保持力を上回る力でフロントパネル２を前方向に引っ張ることで、フロントパネル２を空気清浄機本体３から取り外すことができる。
【００２８】
図４は、プレフィルタが装着されたフロントパネルの裏面側を示す斜視図である。なお、図４では、プレフィルタ１６ａのフィルタ部Ｆの図示を一部省略して図示している。
図４に示すように、プレフィルタ１６ａは、空気清浄機本体３に取り付けられるものではなく、フロントパネル２に取り付けられるものである。
【００２９】
プレフィルタ１６ａは、格子状の枠体１６０と、フィルタ部Ｆ（ろ過部）と、を有している。枠体１６０は、矩形状の外枠１６１と、この外枠１６１の内側を格子状に区画する内枠１６２と、によって構成されている。
【００３０】
外枠１６１は、左端において上下方向に延びる縦枠部１６１ａと、右端において上下方向に延びる縦枠部１６１ｂと、上端において左右方向に延びる横枠部１６１ｃと、下端において左右方向に延びる横枠部１６１ｄと、を有する。
【００３１】
内枠１６２は、上下方向に延びる縦区画部１６２ａ，１６２ａと、左右方向に延びる横区画部１６２ｂ，１６２ｂ，１６２ｂと、を有する。プレフィルタ１６ａは、外枠１６１と内枠１６２とによって区画されたそれぞれの矩形状の領域に、例えば金属メッシュ状のフィルタ部Ｆがインサート成型によって構成されている。
【００３２】
外枠１６１の上端には、プレフィルタ１６ａをフロントパネル２に引っ掛けるための被掛止部１６３，１６３が設けられている。被掛止部１６３，１６３は、左右に離間して配置されている。また、外枠１６１の下端にも、同様に、被掛止部１６４，１６４（図６参照）が設けられている。
【００３３】
フロントパネル２には、空気清浄機本体３（図３参照）から延びるパネルアーム１５と連結される連結部２１が設けられている。この連結部２１は、プレフィルタ１６ａよりも左右方向の外側に位置している。また、連結部２１は、後方に突出する一対の爪２１ａ，２１ａによって構成されている。一方、パネルアーム１５の先端には、一対の爪２１ａ，２１ａを加え込んで連結する加え込み部（図示省略）が設けられている。なお、図４では、フロントパネル２の左側のみ図示されているが、右側についても同様に連結部が設けられている。
【００３４】
また、フロントパネル２には、空気清浄機本体３に軸支されるシャフト（軸部）２２，２２が設けられている。このシャフト２２は、プレフィルタ１６ａの下方に位置している。また、シャフト２２，２２は、フロントパネル２の裏面２ｔにねじ固定されている。
【００３５】
図５は、プレフィルタの上面図である。
図５に示すように、被掛止部１６３は、プレフィルタ１６ａの横枠部１６１ｃの上面に設けられている。また、被掛止部１６３は、左右方向に細長い略板状に形成され、外枠１６１よりフロントパネル２側（前側）に突出して形成されている。また、被掛止部１６３は、上面視（平面視）においてＵ字状に切り欠かれ、かつ、凹面が後方を向くように、上下方向に貫通する孔１６３ａが形成されている。この孔１６３ａは、横枠部１６１ｃよりも外側にＵ字状に大きく切り欠かれることによって形成されている。
【００３６】
図６は、プレフィルタの下面図である。
図６に示すように、被掛止部１６４は、プレフィルタ１６ａの横枠部１６１ｄの下面に設けられている。また、被掛止部１６４は、左右方向に細長い略板状に形成され、外枠１６１よりもフロントパネル２側（前側）に突出して形成されている。また、被掛止部１６４は、下面視（平面視）においてＵ字状に切り欠かれ、かつ、凹面が後方を向くように、上下方向に貫通する孔１６４ａが形成されている。この孔１６４ａは、横枠部１６１ｄよりも外側にＵ字状に大きく切り欠かれることによって形成されている。
【００３７】
このように、被掛止部１６３と被掛止部１６４は、上下対称に形成されている。つまり、プレフィルタ１６ａは、該プレフィルタ１６ａを図４において上下逆さまにした状態でも、プレフィルタ１６ａをフロントパネル２に取り付けることができるようになっている。
【００３８】
図７は、プレフィルタを外したフロントパネルの裏面側を示す斜視図である。なお、図７では、吸気口２ｓの図示を省略して、二点鎖線によって吸気口の領域を示している。
図７に示すように、フロントパネル２の裏面（背面）２ｔには、前面部２ａの上端から下端に向けて直線状に延びる補強用のリブ２ｅが形成されている。このリブ２ｅは、左右方向に間隔を置いて複数（本実施形態では７本）形成されている。また、各リブ２ｅは、互いに平行に配置されている。また、各リブ２ｅは、所定の幅をもって、リブ２ｅが形成されていない面よりも厚みをもって形成されている。
【００３９】
また、フロントパネル２には、被掛止部１６３（または被掛止部１６４）を掛ける掛止部２３，２３が設けられている。この掛止部２３は、フロントパネル２の裏面２ｔに固定する固定部２３ａと、固定部２３ａから斜め上向きに突出する爪部２３ｂとによって構成されている。また、掛止部２３は、リブ２ｅに固定されている。この掛止部２３は、プレフィルタ１６ａの被掛止部１６３（１６４）の孔１６３ａ（１６４ａ）に対応する位置に形成されている。固定部２３ａは、フロントパネル２のリブ２ｅにネジ固定されている。爪部２３ｂは、固定部２３ａの上端から後方に向けて上昇するように傾斜している。このように、固定部２３ａがリブ２ｅに重なるように配置されることで、掛止部２３をフロントパネル２に安定して固定できる。また、固定部２３ａをリブ２ｅに重なるように配置することで、フロントパネル２の正面から固定部２３ａを視認し難くできる。
【００４０】
また、フロントパネル２には、被掛止部１６４（または被掛止部１６３）が載置される支持部２４が形成されている。なお、支持部２４は、板状に形成され、フロントパネル２の裏面２ｔに対して垂直に突出して形成されている。また、被掛止部１６３を掛止部２３に掛けたときに、被掛止部１６４の下面が接する位置に形成されている。また、支持部２４の左右方向の幅は、被掛止部１６４，１６４を載せることができる長さに形成されている。
【００４１】
また、フロントパネル２には、左右両端のリブ２ｅ上に、後方に向けて突出する押圧突起２５，２５，２５が形成されている。押圧突起２５は、板状に形成され、上下方向に離間して配置されている。また、各押圧突起２５は、プレフィルタ１６ａの縦枠部１６１ａ，１６１ｂ（図４参照）に対向する位置に形成されている。
【００４２】
図８は、フロントパネルを閉じた状態の軸部の部分拡大図である。
図８に示すように、空気清浄機本体３のフロントケース６には、シャフトサポート６ｄが設けられている。このシャフトサポート６ｄは、凹面状のシャフト受部６ｄ１が形成され、フロントパネル２に設けられたシャフト２２がシャフト受部６ｄ１に回動可能に支持されている。
【００４３】
フロントパネル２が閉じた状態においては、シャフト２２の下半分がシャフト受部６ｄ１によって覆われている。これにより、フロントパネル２は軸回転方向以外には動かず、フロントパネル２が空気清浄機本体３から外れることはない。
【００４４】
図９は、フロントパネルを開いた状態の軸部の部分拡大図である。
図９に示すように、フロントパネル２を最大まで開いた状態においては、シャフト２２とシャフト受部６ｄ１の接触角度が変化する。この状態において、同じ斜め上方にフロントパネル２を引っ張ることで、シャフト２２がシャフト受部６ｄ１から抜け出て、フロントパネル２を空気清浄機本体３から取り外すことができる。
【００４５】
フロントパネル２を取り外した後に再度取り付けたい場合には、元の位置にシャフト２２とシャフト受部６ｄ１とを合わせた後、フロントパネル２を空気清浄機本体３側（後方）に押す。これにより、パネルアーム１５と連結部２１とが係合し、フロントパネル２と空気清浄機本体３とが連結される。
【００４６】
図１０は、フロントパネルを開いた状態の空気清浄機を示す縦断面図である。
図１０に示すように、フロントパネル２を開いた状態では、フロントパネル２の裏面２ｔ（背面）にプレフィルタ１６ａが位置している。この状態において、プレフィルタ１６ａは、被掛止部１６３が掛止部２３の爪部２３ｂに掛止されている。また、プレフィルタ１６ａの下端の被掛止部１６４は、フロントパネル２の裏面２ｔから突出して形成された支持部２４に接している。また、被掛止部１６４の先端１６４ｂは、プレフィルタ１６ａの自重によって、フロントパネル２の裏面２ｔに当接する。また、被掛止部１６３，１６４を設けることによって、プレフィルタ１６ａとフロントパネル２の裏面２ｔとの間に隙間Ｓが形成されている。つまり、フロントパネル２を開いたときには、プレフィルタ１６ａのフィルタ部Ｆがフロントパネル２と空気清浄機本体３のいずれにも接触しないようになっている。このため、プレフィルタ１６ａのフィルタ部Ｆに付着した塵埃がフロントパネル２や空気清浄機本体３に接触することなく、プレフィルタ１６ａを空気清浄機１から取り外すことができる。
【００４７】
また、プレフィルタ１６ａを破線矢印の方向に引き上げてフロントパネル２から取り外す場合、プレフィルタ１６ａを引き上げるだけで、被掛止部１６３が掛止部２３の爪部２３ｂから抜け出る。また、被掛止部１６４が支持部２４の上面に接した状態で支持されているだけである。このため、プレフィルタ１６ａを引き上げたとしても、被掛止部１６４が支持部２４に引っ掛かることなく、プレフィルタ１６ａを引き上げることができる。また、被掛止部１６３を把持してプレフィルタ１６ａを引き上げたとしても、被掛止部１６４の先端１６４ｂがフロントパネル２の裏面２ｔに接触し続ける。このため、プレフィルタ１６ａのフィルタ部Ｆがフロントパネル２の裏面２ｔに接触することがない。このようなことから、プレフィルタ１６ａを掃除するために、フロントパネル２からプレフィルタ１６ａを取り外す際に、プレフィルタ１６ａから塵埃が落下するのを抑えることができる。
【００４８】
また、清掃後のプレフィルタ１６ａを取り付ける場合においても、プレフィルタ１６ａの上端を把持した状態で、プレフィルタ１６ａをフロントパネル２の裏面２ｔに沿って降下させる。そして、被掛止部１６３を掛止部２３に引っ掛けることで、プレフィルタ１６ａの自重によって被掛止部１６４が支持部２４に接触し、図１０に示す状態に至る。
【００４９】
図１１は、フロントパネルを閉じた状態の空気清浄機を示す縦断面図である。
図１１に示すように、フロントパネル２を閉じた状態では、プレフィルタ１６ａが集塵フィルタ１６ｂに密着するようになっている。プレフィルタ１６ａには、フロントパネル２側に向けて突出する被掛止部１６３，１６４が設けられている。このため、フロントパネル２を閉じたときに、プレフィルタ１６ａを集塵フィルタ１６ｂに密着させることができる。
【００５０】
このように、プレフィルタ１６ａが集塵フィルタ１６ｂに密着することで、フロントパネル２の吸気口２ｓから吸い込まれた空気がすべてプレフィルタ１６ａを通過する。その後に、プレフィルタ１６ａを通過した空気が集塵フィルタ１６ｂを通過する。集塵フィルタ１６ｂを通過した空気は、脱臭フィルタ１６ｃを通過し、送風機構９を通って、前側フラップ４と後側フラップ５から機外に送り出される。
【００５１】
以上説明したように、本実施形態の空気清浄機１は、空気清浄機本体３と、空気清浄機本体３に開閉可能に取り付けられ、かつ、空気を吸い込む吸気口２ｓが形成されたフロントパネル２と、フロントパネル２に設けられて吸気口２ｓから吸い込まれた塵埃をろ過するプレフィルタ１６ａと、空気清浄機本体３に設けられてプレフィルタ１６ａを通過した塵埃をろ過する集塵フィルタ１６ｂと、を備える（図１０参照）。プレフィルタ１６ａは、集塵フィルタ１６ｂよりも掃除をする頻度が高い。このため、空気清浄機本体３に対してフロントパネル２を開いたときに、プレフィルタ１６ａもフロントパネル２と一緒に動作するので、プレフィルタ１６ａを容易に取り外すことができる。よって、プレフィルタ１６ａの清掃が容易になる。
【００５２】
また、本実施形態では、プレフィルタ１６ａは、枠体１６０と、枠体１６０に設けられたフィルタ部Ｆと、枠体１６０をフロントパネル２の掛止部２３に掛ける被掛止部１６３（１６４）と、を備える。この被掛止部１６３（１６４）は、枠体１６０からフロントパネル２に向けて突出して形成されている（図１０参照）。これによれば、フロントパネル２とプレフィルタ１６ａとの間に隙間Ｓ（図１０参照）を形成できるので、プレフィルタ１６ａがフロントパネル２の裏面２ｔに接触するのを抑制できる。また、プレフィルタ１６ａとフロントパネル２との間に指を挿入することが可能になる。このため、プレフィルタ１６ａを摘み易くなり、プレフィルタ１６ａをフロントパネル２から取り出し易くなる。
【００５３】
また、本実施形態では、掛止部２３は、該掛止部２３をフロントパネル２に固定する固定部２３ａと、被掛止部１６３（１６４）を掛ける上向きの爪部２３ｂと、を備える（図７参照）。これによれば、プレフィルタ１６ａの被掛止部１６３（１６４）を爪部２３ｂに容易に掛けることができる。
【００５４】
また、本実施形態では、爪部２３ｂは、フロントパネル２から離間する方向に傾斜して形成されている（図７参照）。これによれば、フロントパネル２の裏面２ｔと爪部２３ｂとの間隔が広くなるので、爪部が垂直に立って形成されている場合よりも、プレフィルタ１６ａの被掛止部１６３（１６４）を掛け易くなる。
【００５５】
また、本実施形態では、固定部２３ａがフロントパネル２の裏面に形成されたリブ２ｅに固定されている。これによれば、掛止部２３をフロントパネル２に安定して固定できるとともに、フロントパネル２を正面から見たときに掛止部２３を視認し難くできる。
【００５６】
また、本実施形態では、掛止部２３は、枠体１６０の上端および下端に形成されている（図４ないし図６、図１０参照）。これによれば、空気清浄機本体３に対してフロントパネル２を閉じたときに、プレフィルタ１６ａの下部が集塵フィルタ１６ｂから離れるのを抑制できる。また、プレフィルタ１６ａをフロントパネル２から取り外すときに、プレフィルタ１６ａがフロントパネル２に接触するのを防止できる。また、フロントパネル２から取り外したプレフィルタ１６ａを床面に置くときに、プレフィルタ１６ａのフィルタ部Ｆを床面から浮かせた状態で置くことができ、床面にフィルタ部Ｆの塵埃が付着するのを抑制できる。
【００５７】
また、本実施形態では、フロントパネル２は、下側（下部）に位置する被掛止部１６４を支持する支持部２４を備える（図１０参照）。これによれば、プレフィルタ１６ａが装着された状態でフロントパネル２を空気清浄機本体３から取り外したときに、プレフィルタ１６ａがフロントパネル２の裏面２ｔから離れるのを防止できる。
【００５８】
また、本実施形態では、被掛止部１６３，１６４は、上下対称の形状である（図５および図６参照）。これによれば、天地がなくなるので、プレフィルタ１６ａをフロントパネル２に取付け易くなる。
【００５９】
また、本実施形態では、被掛止部１６３（１６４）と掛止部２３は、フロントパネル２の幅方向に複数形成されている（図４ないし図６参照）。これによれば、プレフィルタ１６ａをフロントパネル２に安定して取り付けることができる。
【００６０】
また、本実施形態では、フロントパネル２は、枠体１６０と対向する位置に、当該枠体１６０を押圧する押圧突起２５を備える（図７参照）。これによれば、プレフィルタ１６ａが集塵フィルタ１６ｂから離れる側に撓み過ぎるのを抑えることができる。
【００６１】
また、本実施形態では、フロントパネル２は、空気清浄機本体３の前側に設けられている（図１参照）。これによれば、空気清浄機本体３の後側にパネルが設けられている場合よりも、プレフィルタ１６ａの清掃が容易になる。
【００６２】
また、本実施形態では、フロントパネル２は、プレフィルタ１６ａよりも下部に空気清浄機本体３に対して回動自在に支持されるシャフト２２を有する。このフロントパネル２の上部は、シャフト２２を支点として開くように構成されている。これによれば、プレフィルタ１６ａをフロントパネル２から取り外す際に、ユーザは大きくかがむことなく、プレフィルタ１６ａを取り外すことが可能になる。
【００６３】
以上、本実施形態について図面を参照しながら説明したが、本実施形態は前記の内容に何ら限定されるものではなく、様々な変形例が含まれる。例えば、本実施形態では、フロントパネル２を設けた場合を例に挙げて説明したが、空気清浄機本体３の背面にパネル（リアパネル）を設け、背面側から空気を吸い込む構成であってもよい。
【００６４】
また、前記した実施形態では、フロントパネル２の前面部２ａのみ吸気口２ｓを設けた場合を例に挙げて説明したが、プレフィルタ１６ａの前面側に空気を導入できる流路を備えるものであれば、フロントパネル２の側面部２ｂに吸気口を設けた構成であってもよい。
【００６５】
また、前記した実施形態では、フロントパネル２の上部において掛止部２３にプレフィルタ１６ａの被掛止部１６３を掛ける構成としたが、同様の掛止部２３をフロントパネル２の下部に設けて、プレフィルタ１６ａを上下においてフロントパネル２に掛ける構成であってもよい。
【符号の説明】
【００６６】
１      空気清浄機
２      フロントパネル（パネル）
２ｅ    リブ
２ｓ    吸気口
２ｔ    裏面
３      空気清浄機本体
６      フロントケース
９      送風機構
１６ａ  プレフィルタ
１６ｂ  集塵フィルタ
１６ｃ  脱臭フィルタ
２２    シャフト（軸）
２３    掛止部
２３ａ  固定部
２３ｂ  爪部
２４    支持部
２５    押圧突起
１６０  枠体
１６３，１６４  被掛止部
１６３ａ，１６４ａ  孔
１６４ｂ  先端
Ｆ      フィルタ部（ろ過部）
【図１】
2020099858.tif 000003
【図２】
2020099858.tif 000004
【図３】
2020099858.tif 000005
【図４】
2020099858.tif 000006
【図５】
2020099858.tif 000007
【図６】
2020099858.tif 000008
【図７】
2020099858.tif 000009
【図８】
2020099858.tif 000010
【図９】
2020099858.tif 000011
【図１０】
2020099858.tif 000012
【図１１】
2020099858.tif 000013